(57)【特許請求の範囲】
【請求項１】
換気扇本体の両側部に設けられ布基礎に開設した床下通気口の上下内面に圧接する上下伸縮量調節可能な突っ張り支柱と、該換気扇本体における前記突っ張り支柱後方部分に前後固定位置調節可能に掛止され布基礎の裏面に当接する当て手段と、換気扇本体からの床下空気を排気する排気口を備え同換気扇本体に取り付けて前記床下通気口を屋外側から被装する化粧パネルとを備え、前記当て手段は、換気扇本体から等間隔をおいて床下通気口の奥行き方向に沿って突設した複数の凸部と、その凸部に差し込み掛止するスリットを多数並設した櫛歯部から立ち上げ形成され布基礎の裏面に当接する当たり部とで構成され、前記櫛歯部のスリットが、床下空間方向に向けて斜め下向き傾斜状に形成してあることを特徴とする床下換気扇の取付構造。
【請求項２】
前記化粧パネルはその排気口を多数の排気小孔で構成し、その排気小孔に臨んでその裏側にブラケットを備え、その排気小孔を通して固定金具でブラケットを換気扇本体に取付固定したことを特徴とする請求項１記載の床下換気扇の取付構造。
【発明の詳細な説明】
【０００１】
【発明の属する技術分野】
本発明は、戸建住宅などの布基礎に開設した床下通気口に設置する床下換気扇の取付構造に関するものである。
【０００２】
【従来の技術】
一般に戸建住宅などのような布基礎上に建築する住宅は、床下を衛生的な状態に維持するため床下通気口を設けることが法令で義務づけられている。しかし自然換気だけに頼っていては充分とはいえない場合もあり、例えば床下換気扇を北側の床下通気口に設置して積極的に床下内の湿気を含んだ空気を排出する機械換気が提案されている。
従来、この種の床下換気扇Ａは、図５に示すように床下通気口Ｂに取り付けるための取付孔32と床下空気の排出口12を開設した化粧パネル２と、前後面開放した断面矩形状を呈し内部にモータ（図示せず）及びプロペラファン（図示せず）等を換気に必要な機能を具備した換気扇本体１とから構成され予め一体化されている。
その床下換気扇Ａを床下通気口Ｂに設置するには、まず床下通気口Ｂ縁端部周辺に上記取付孔32と同寸法の位置に下孔ｂ３を開け、カールプラグ６を挿入しておき、換気扇本体１を床下通気口Ｂに挿入し、化粧パネル２と換気扇本体１からなるフランジ面を床下通気口Ｂの外周縁端部に当接させ、取付孔32を介してコンクリートネジ７をねじ込むことによってカールプラグ６が布基礎Ｃに広がり喰い込んで床下換気扇Ａを固定し設置している。
【０００３】
【発明が解決しようとする課題】
しかし、布基礎Ｃはコンクリートによる施工もさることながら、床下通気口Ｂという性格上、精度良く施工されておらず、床下通気口Ｂ縁端部周辺に床下換気扇Ａの取付孔32と同寸法の位置に下孔ｂ３を開けようとすると、床下通気口Ｂ縁部際に開孔しなければならない場合が生じ、そのまま下孔ｂ３を開けると布基礎Ｃが破損したり、仮に下孔ｂ３が開いてもコンクリートネジ７をねじ込むことによってカールプラグ６の広がりで布基礎Ｃを破損させてしまう。そのため床下換気扇Ａを少しずらして施工し直したり、セメント等の接着剤で補強するといった二度手間がかかり確実性に欠けていた。
更に沢山のカールプラグ６とコンクリートネジ７を無駄に消費するため経済性がない。
またこのような取り付け法だと、ドリル等を含め専用工具が必要となり、それらを扱うことができ施工する技能を持った作業者に限定されてしまう。
さらに床下換気扇Ａの固定法が布基礎Ｃへの螺合であるため、前記下孔ｂ３に床下換気扇Ａの全荷重が集中する。よって取り付け強度を確保するためには布基礎Ｃの完全硬化が絶対条件となり、そのため施工時期が制約されてしまう。
また、浸食による経年変化で取り付け強度が保てなくなり、床下換気扇Ａが床下通気口Ｂから脱落する虞れも生じていた。
前記床下換気扇Ａの取付孔ｂ３は、ある寸法の床下通気口Ｂを設計対象として開口されているが、前述のように床下通気口Ｂの施工精度面から対応仕切れない場合のほかに床下通気口Ｂ自体の大きさにより対応仕切れない場合もある。そもそも住宅メーカーあるいは建築設計業者ごとに床下通気口Ｂの寸法は違い、基本的に前記取付寸法の床下換気扇は取り付け不可能といった不具合も生じていた。
【０００４】
本発明は、従来事情に鑑みてなされたもので、その目的とする処は布基礎への固着手段を使用せずに床下換気扇を簡単且つ確実に床下通気口に固定することができる床下換気扇の取付構造を提供することにある。
他の目的とする処は精度のない床下通気口や異なった寸法の床下通気口にも床下換気扇を固定することができる床下換気扇の取付構造を提供することである。
【０００５】
【課題を解決するための手段】
上記目的を達成するために講じた技術的手段は、請求項１は換気扇本体の両側部に設けられ布基礎に開設した床下通気口の上下内面に圧接する上下伸縮量調節可能な突っ張り支柱と、該換気扇本体における前記突っ張り支柱後方部分に前後固定位置調節可能に掛止され布基礎の裏面に当接する当て手段と、換気扇本体からの床下空気を排気する排気口を備え同換気扇本体に取り付けて前記床下通気口を屋外側から被装する化粧パネルとを備え、前記当て手段は、換気扇本体から等間隔をおいて床下通気口の奥行き方向に沿って突設した複数の凸部と、その凸部に差し込み掛止するスリットを多数並設した櫛歯部から立ち上げ形成され布基礎の裏面に当接する当たり部とで構成され、前記櫛歯部のスリットが、床下空間方向に向けて斜め下向き傾斜状に形成してあることを要旨とする。
更に、請求項２は請求項１の化粧パネルはその排気口を多数の排気小孔で構成し、その排気小孔に臨んでその裏側にブラケットを備え、その排気小孔を通して固定金具でブラケットを換気扇本体に取付固定したことを要旨とする。
【０００６】
上記技術的手段によれば下記の作用を奏する。
（請求項１）当て手段の前後固定位置が予め所望に設定された換気扇本体を、その当て手段が布基礎裏面に当接するように床下通気口に挿入し、その状態で上下伸縮量が調整可能な突っ張り支柱の上下の伸縮量を調節して床下通気口の上下内面に圧接支持して換気扇本体を床下通気口内に固定し、換気扇本体前面に取付けられる化粧パネルが換気扇本体をその前方からカバーすると共に布基礎を挟持して換気扇本体を安定状に固定する。
また、当て手段が布基礎の裏面に当接して排水勾配が付けられた床下通気口からの換気扇本体のずり落ちを防止する。
そして、化粧パネルと当て手段とで換気扇本体を挟持固定する際、その挟持力を受けて床下空間方向に向けて斜め下向きに傾斜するスリットが換気扇本体から突設した凸部をスリット底方向に案内してスリット底に強固に掛止させる。
（請求項２）化粧パネルの固定金具が外部に露呈するのを阻止する。
【０００７】
【発明の実施の形態】
次に、本発明の実施の形態を図面に基づいて説明する。
図１乃至図４は本実施の形態を示し、符号Ａは床下換気扇、Ｂはその床下換気扇Ａの換気扇本体１よりも一回り大きな矩形状をもって布基礎Ｃに開設された床下通気口である。
【０００８】
床下換気扇Ａは本実施の形態ではシロッコファンを換気源とした場合を示し、換気扇本体１と化粧パネル２とで構成されている。
【０００９】
換気扇本体１は、前方を開放した箱型のファンケーシング11の上面部11ａに駆動モータ21を貫通状に固定し、その駆動モータ21のモータ軸21ａにシロッコファン31を吊持状に取付け、そのシロッコファン31と相対するファンケーシング11の下面部11ｂに吸気口41を開口し、その吸気口41を枯れ葉ネット51で被蓋した構造になっている。
【００１０】
化粧パネル２は、前記床下通気口Ｂよりも一回り大きな面積をもって正面視矩形状を呈し、ファンケーシング11の前方開放部と相対する部分に多数の排気小孔12ａからなる排気口12を設けている。
【００１１】
前記換気扇本体１には前側の両側部に突っ張り支柱３を備えると共にその突っ張り支柱３の後部両側に布基礎Ｃの裏面に当接する当て手段４を備え、且つ最も外側の前記排気小孔12ａと相対してファンケーシング11内の上面部11ａと下面部11ｂとに亘って取付桟11ｃを縦架している。
【００１２】
突っ張り支柱３は、図示するようにファンケーシング11の両側面部から一体的に上下間隔をおいて突設した取付座13、13と、長孔23ａ、33ａを開孔したＬ型アングル材からなる前側支柱23、裏側支柱33と、その長孔23ａ、33ａを挿通して取付座13、13のネジ孔13ａに螺合締結する取付金具43とから構成され、前側支柱23と裏側支柱33のどちらか一方を床下通気口Ｂの上内面ｂ１に当接し、他方を床下通気口Ｂの下内面ｂ２に当接させた状態で取付金具43を長孔23ａ、33ａを挿通して前記取付座13のネジ孔（図示せず）に締結することによって換気扇本体１を床下通気口Ｂ内で水平状にセットするようになっている。
また、この突っ張り支柱３は前側支柱23、裏側支柱33の上下方向の伸縮量を個別に可変できるため、床下通気口Ｂの大きさに関わらず換気扇本体１を床下通気口Ｂの中央部にセットすることができる。
【００１３】
当て手段４は、ファンケーシング11の両側面部からファンケーシング11の奥行方向に沿って等間隔をもって突設した複数の凸部14…と、布基礎Ｃ裏面に当接する当たり部24とから構成されている。
【００１４】
この当たり部24は、前記凸部14…に差し込み掛止する床下空間方向に向けて斜め下向き傾斜状の下端開放型のスリット24ｃ…を多数並設した櫛歯部24ａの後端から布基礎Ｃの裏面に当接するアングル状の当たり片24ｄを直角に折曲して形成されており、複数の凸部14…が差し込み掛止するスリット24ｃ位置を変えることによってファンケーシング11に対する前後固定位置が調節できるようになっている。
尚、前記凸部14…はネジであり、頭部14ａがスリット24ｃの…縁に掛合するため抜け落ちたりする心配はない。
【００１５】
前記化粧パネル２は、前記取付桟11ｃに開孔するネジ孔11ｃ’と相対して裏面にブラケット22を一体的に備え、そのブラケット22には最も外側の排気小孔12ａ、取付桟のネジ孔11ｃ’と相対して固定金具５用の挿通孔15を開孔している。
【００１６】
次に、本実施の形態の床下換気扇Ａの取付手順を簡単に説明すると、まず、布基礎Ｃの厚みを計り、その厚みに比べてこころもち化粧パネル２と当て手段４の当たり片24ｄとの間隔が小さくなる関係となるように左右の当て手段４、４をセットする。
この当て手段４、４のセットは前記のように複数の凸部14…に差し込み掛止されるスリット24ｃ…を選択することによって容易に行える。
更に、換気扇本体１を床下通気口Ｂ内に斜めした差し入れ、当たり片24ｄを布基礎Ｃの裏面に当接させると共に突っ張り支柱３、３を人為的に操作して床下通気口Ｂの上下内面ｂ１、ｂ２に突っ張って換気扇本体１を水平状に支持する。
そして、化粧パネル２を床下通気口Ｂの屋外側の開口を被蓋するように布基礎Ｃの表面に当接させ、最も外側の排気小孔12ａから固定金具（ネジ）５を差し入れ、ブラケット22の挿通孔15を介して取付桟11ｃのネジ孔11ｃ’に締結して化粧パネル２と当たり片24ｄとで換気扇本体１を挟持して床下換気扇Ａの取付けは完了する。
また、化粧パネル２取付時の固定金具５の締結力で換気扇本体１は微妙に化粧パネル側に弾性変形しそれに伴って凸部14がスリット底24ｃ’に強固に噛合する掛止関係を構成する。
これによって長期に亘って堅牢な固定構造となる。
【００１７】
このように本実施の形態では化粧パネル２を布基礎Ｃへ直接固定しないこと。当て手段４の固定が凸部14のスリット24ｃへの差し込み掛止で簡単に行え、且つ突っ張り支柱３の調節も人為的に屋外から行えること。等から敢えて技量がなくとも購入者自身で容易に床下換気扇Ａを固定することができ、しかもその固定も自ずと強固になる。
【００１８】
また、換気源として発生圧力が高いシロッコファン31を使用していることから、コンクリート等の仕切りが床下空間に多くて風通しの悪い場所等で風の澱みが起こって換気できなくなったり、屋外の積雪抵抗や外風抵抗等によって換気できなくなるような不具合を防止することもできるし、駆動モータ21をファンケーシング11の上面部11ａに固定した結果、駆動モータ21迄の浸水高も高くすることができ、容易に洪水等に浸ることもなくなる。
その上、吸気口41が床下通気口Ｂの下内面ｂ２に相対するから、吸気口41が床下空間に面する場合と比べてゴミ、枯れ歯等の吸込の虞れを回避し、安定した換気を約束できる。
尚、駆動モータ21としてモールドモータを使用することも任意であり、そのように構成した場合には仮に洪水等で浸水に浸ることがあっても漏電事故等を引き起こすことがなくなる。
【００１９】
また、本実施の形態では換気源をシロッコファンとする床下換気扇について詳述しているが、旧来のプロペラファン等の所謂横流タイプの送風機を内蔵した床下換気扇の取付構造を包含するものである。
【００２０】
【発明の効果】
本発明は以上のように構成したから下記の利点がある。
（請求項１）床下通気口内に床下通気扇を設置する際、下孔の加工、その下孔へのカールプラグの差し込み等の技量を要する布基礎の下加工や、専用の工具を使用してもコンクリートネジによる締結を全く行うことなく、購入者自身が手軽に床下換気扇を取付固定することができる。
その上、当て手段は前後位置を予め掛止によって換気扇本体に固定した状態でセットされ、上下伸縮量が調節可能な突っ張り支柱の突っ張り後に取付けられる化粧パネルで自ずと換気扇本体を挟持固定するから、床下通気口に換気扇本体を挿入によって配置した後に当て手段の前後量を調節する必要もなく床下換気扇の取付固定がより簡単に行える。
しかも、床下換気扇の取付固定が、上下伸縮量調節可能な突っ張り支柱、布基礎を挟持する化粧パネルと当て手段だげて行われるから、敢えて布基礎の完全硬化を要せず取付け施工時期に融通性を持たせることが可能となり、工期の短縮化にも寄与できる。
更に、床下通気口の施工誤差を吸収したり、異なる寸法の床下通気口にも容易に追従して床下換気扇を取付固定することができる汎用性を持たせることができる。
また、布基礎の裏面に当接する当て手段によって排水勾配が付けられた床下通気口の下内面によって換気扇本体がすり落ちる危険性を無くし、長期に亘って床下換気扇を強固に取付固定することができる。
その上、当て手段を換気扇本体の両側部に分離して一対設けたことから、布基礎の厚みに凹凸がある場合でも換気扇本体を床下通気口に対して確実に安定よく固定でき、換気効率を低下させる虞れもない。
しかも、換気扇本体から等間隔をおいて床下通気口の奥行き方向に沿って突設した複数の凸部に掛止する櫛歯部のスリットを、床下空間方向に斜め下向き傾斜状に形成しているため、化粧パネルの換気扇本体への締結力を受けて換気扇本体と共に凸部がスリットで化粧パネル側に弾性変形してスリット底に噛合するようになり、より強固で長期的に信頼性のある固定構造を構成できる。
（請求項２）その上、化粧パネル以外は屋外に露呈せず、外観が良く、建物の体裁を悪くしない。
【図面の簡単な説明】
【図１】床下換気扇の取付状態を示す正面図で一部切欠して示す。
【図２】図１の（２）−（２）線断面図。
【図３】換気扇本体の正面図で一部切欠して示す。
【図４】床下換気扇の分解斜視図。
【図５】従来の床下換気扇の取付状態を示す斜視図。
【符号の説明】
Ａ：床下換気扇            １：換気扇本体
Ｂ：床下通気口            ３：突っ張り支柱
Ｃ：布基礎                ４：当て手段
12：排気口                12ａ：排気小孔
14：凸部                  24ｃ：スリット
24ａ：櫛歯部              24：当たり部
12ａ：排気小孔            ５：固定金具
22：ブラケット            ２：化粧パネル
【図１】
0003661251.tif 000002
【図２】
0003661251.tif 000003
【図３】
0003661251.tif 000004
【図４】
0003661251.tif 000005
【図５】
0003661251.tif 000006